(57)【特許請求の範囲】
【請求項１】
吸込口と、吹出口とを結ぶ空気通路に、平行に並べられた多数のフィンと、これに直交する伝熱管とからなる熱交換器と、送風ファンとを設け、前記伝熱管の冷媒流入部および冷媒流出部に、先端を筒状の配管断熱材より露出させた接続配管を夫々接続してなる空気調和機において、
前記配管断熱材に、前記伝熱管の冷媒流入部または冷媒流出部の何れか一方に接続される接続配管を収容し、他方に接続される接続配管を折曲して導出できるスリットを形成してなることを特徴とする空気調和機。
【請求項２】
前記スリットが、前記配管断熱材の長手方向に沿って直線状に形成された切れ目からなることを特徴とする請求項１に記載の空気調和機。
【請求項３】
前記スリットが、前記配管断熱材の長手方向に対し傾斜角を有して直線状に形成された切れ目からなることを特徴とする請求項１に記載の空気調和機。
【請求項４】
前記スリットが、前記配管断熱材の長手方向に沿って直線状に形成され、所定の幅寸法を有して略コ字状に形成された切欠部からなることを特徴とする請求項１に記載の空気調和機。
【請求項５】
前記スリットが、前記配管断熱材の長手方向に直交するように形成された第一切れ目と、同第一切れ目の一端から前記配管断熱材の長手方向に沿って直線状に形成された第二切れ目とからなることを特徴とする請求項１に記載の空気調和機。
【請求項６】
前記スリットが、前記配管断熱材の長手方向に直交するように形成された第一切れ目と、同第一切れ目の一端から前記配管断熱材の長手方向に対し傾斜角を有して直線状に形成された第二切れ目とからなることを特徴とする請求項１に記載の空気調和機。
【発明の詳細な説明】
【０００１】
【発明の属する技術分野】
本発明は、空気調和機に係わり、より詳細には、熱交換器の冷媒流入部および冷媒流出部に夫々接続される接続配管を覆う筒状の配管断熱材に関する。
【０００２】
【従来の技術】
従来の空気調和機は、例えば図１と、図３とで示すように、吸込口１と、吹出口２とを結ぶ空気通路に、平行に並べられた多数のフィン３と、これに直交する伝熱管４とからなる熱交換器５と、送風ファン６とを設け、前記伝熱管４の冷媒流入部および冷媒流出部に、先端を筒状の配管断熱材７から露出させた接続配管８を夫々接続してなる構成であった。
【０００３】
しかしながら、図３で示すように、前記伝熱管４の冷媒流入部または冷媒流出部に接続される何れか一方の前記接続配管８が折曲されていることから、前記配管断熱材７が、前記伝熱管４の冷媒流入部および冷媒流出部に接続される前記接続配管８の先端部を覆っていないので、同接続配管８の先端部に結露が生じて滴下してしまうため、この滴下する結露を受けて前記熱交換器５の下部に設けられた露受皿（図示せず）へ導くため、別部材からなる導水板11を設ける必要が生じてしまうという問題を有していた。
【０００４】
【発明が解決しようとする課題】
本発明においては、上記の問題点に鑑みなされたもので、熱交換器の冷媒流入部および冷媒流出部に夫々接続される接続配管の先端部から滴下する結露を、別部材からなる導水板を設けることなく、前記接続配管を覆う筒状の配管断熱材で導けるようにした空気調和機を提供することを目的とする。
【０００５】
【課題を解決するための手段】
上記問題点を解決するため、吸込口と、吹出口とを結ぶ空気通路に、平行に並べられた多数のフィンと、これに直交する伝熱管とからなる熱交換器と、送風ファンとを設け、前記伝熱管の冷媒流入部および冷媒流出部に、先端を筒状の配管断熱材より露出させた接続配管を夫々接続してなる空気調和機において、
前記配管断熱材に、前記伝熱管の冷媒流入部または冷媒流出部の何れか一方に接続される接続配管を収容し、他方に接続される接続配管を折曲して導出できるスリットを形成した構成となっている。
【０００６】
また、前記スリットが、前記配管断熱材の長手方向に沿って直線状に形成された切れ目からなる構成となっている。
【０００７】
また、前記スリットが、前記配管断熱材の長手方向に対し傾斜角を有して直線状に形成された切れ目からなる構成となっている。
【０００８】
また、前記スリットが、前記配管断熱材の長手方向に沿って直線状に形成され、所定の幅寸法を有して略コ字状に形成された切欠部からなる構成となっている。
【０００９】
また、前記スリットが、前記配管断熱材の長手方向に直交するように形成された第一切れ目と、同第一切れ目の一端から前記配管断熱材の長手方向に沿って直線状に形成された第二切れ目とからなる構成となっている。
【００１０】
更に、前記スリットが、前記配管断熱材の長手方向に直交するように形成された第一切れ目と、同第一切れ目の一端から前記配管断熱材の長手方向に対し傾斜角を有して直線状に形成された第二切れ目とからなる構成となっている。
【００１１】
【発明の実施の形態】
以下、本発明の実施の形態を図面に基づいた実施例として詳細に説明する。
図１は本発明（または従来例）による空気調和機の断面図であり、図２は本発明による空気調和機の要部説明図で、（Ａ）は正面図、（Ｂ）は第一例を示す斜視図、（Ｃ）は第二例を示す斜視図、（Ｄ）は第三例を示す斜視図、（Ｅ）は第四例を示す斜視図、（Ｆ）は第五例を示す斜視図である。
【００１２】
本発明による空気調和機は、図１と、図２（Ａ）とで示すように、本体の上面に設けられた吸込口１と、下部に設けられた吹出口２とを結ぶ空気通路に、平行に並べられた多数のフィン３と、これに直交する伝熱管４とからなり、略く字状に折曲された前部熱交換器と、後部熱交換器とで上部が逆Ｖ字状に折曲された熱交換器５と、送風ファン６とを設けた構成になっている。
【００１３】
前記伝熱管４の冷媒流入部および冷媒流出部には、図２（Ａ）で示すように、発泡材からなる筒状の配管断熱材７より露出させた接続配管８の先端部が夫々接続されている。
【００１４】
より詳細には、前記配管断熱材７の先端部10に、前記伝熱管４の冷媒流入部または冷媒流出部のうち、下位部側に接続される接続配管８を収容して該箇所の断熱効果を高める一方、上位部側に接続される接続配管８を上方に折曲して導出できるスリット９を形成した構成になっている。
【００１５】
そして、前記配管断熱材10は、前記接続配管８の先端部に生じた結露水を導く導水部材を兼ねた構成になっており、前記接続配管８から滴下する露を受けるとともに、前記熱交換器５の側部近傍から同熱交換器５の下部に設けられた露受皿（図示せず）に円滑に導けるようになることから、上記に説明した従来技術のように、図３で示すような別部材からなる導水板11を設ける必要がなくなる。
【００１６】
次に、図２（Ｂ）乃至図２（Ｆ）に基づいて、前記配管断熱材７の先端部10に形成された前記スリット９に関する実施例として、以下に、第一例から第五例までの事例と夫々の作用について順次説明する。
【００１７】
先ず、第一例として図２（Ｂ）で示すように、前記スリット９が、前記配管断熱材７の先端部10の長手方向に沿って直線状に形成された切れ目9aからなる構成となっており、これによって、図２（Ａ）で示すように、上位部の前記伝熱管４に接続する前記接続配管８の先端部を上方に折曲し前記切れ目9aより導出させて接続できるようになる一方、下位部の前記伝熱管４に接続する前記接続配管８の先端部を前記配管断熱材７の先端部10で覆うようにして、同先端部10で露受皿を兼ねることができるようになる。
【００１８】
また、第二例として図２（Ｃ）で示すように、前記スリット９が、前記配管断熱材７の先端部10の長手方向に対し、傾斜角を有して直線状に形成された切れ目9a' からなる構成となっており、これによって、上位部の前記伝熱管４に接続する前記接続配管８の先端部を前記切れ目9a' より導出させる際、これら上位部の伝熱管４と接続配管８の先端部とを、前記配管断熱材７の先端部10に捩じれを生じさせることなく接続できるようになる。
【００１９】
また、第三例として図２（Ｄ）で示すように、前記スリット９が、前記配管断熱材７の先端部10の長手方向に沿って直線状に形成され、所定の幅寸法を有して略コ字状に形成された切欠部9bからなる構成となっており、これによって、上位部の前記伝熱管４に接続する前記接続配管８の先端部を、前記配管断熱材７の先端部10に捩じれを生じさせることなく、前記切欠部9bより更に容易に導出させて接続できるようになる。
【００２０】
また、第四例として図２（Ｅ）で示すように、前記スリット９が、前記配管断熱材７の先端部10の長手方向に直交するように形成された第一切れ目9cと、同第一切れ目9cの一端から前記配管断熱材７の先端部10の長手方向に沿って直線状に形成された第二切れ目9dとからなる構成となっており、これによって、上位部の前記伝熱管４に接続する前記接続配管８の先端部を、前記配管断熱材７の先端部10に捩じれを生じさせることなく、前記第一切れ目9cまたは前記第二切れ目9dより接続位置に合わせ容易に導出させて接続できるようになる。
【００２１】
更に、第五例として図２（Ｆ）で示すように、前記スリット９が、前記配管断熱材７の先端部10の長手方向に直交するように形成された第一切れ目9c' と、同第一切れ目9c' の一端から前記配管断熱材の先端部10の長手方向に対し、傾斜角を有して直線状に形成された第二切れ目9d' とからなる構成となっており、これによって、上位部の前記伝熱管４に接続する前記接続配管８の先端部を、前記配管断熱材７の先端部10に捩じれを生じさせることなく、前記第一切れ目9c' または前記第二切れ目9d' より接続位置に合わせ更に容易に導出させて接続できるようになる。
【００２２】
【発明の効果】
以上のように、本発明によると、熱交換器の冷媒流入部および冷媒流出部に夫々接続される接続配管の先端部から滴下する結露を、別部材からなる導水板を設けることなく、前記接続配管を覆う筒状の配管断熱材で導けるようにした空気調和機となる。
【図面の簡単な説明】
【図１】本発明または従来例による空気調和機の断面図である。
【図２】本発明による空気調和機の要部説明図で、（Ａ）は正面図であり、（Ｂ）は第一例を示す斜視図であり、（Ｃ）は第二例を示す斜視図であり、（Ｄ）は第三例を示す斜視図であり、（Ｅ）は第四例を示す斜視図であり、（Ｆ）は第五例を示す斜視図である。
【図３】従来例による空気調和機の要部正面図である。
【符号の説明】
１  吸込口
２  吹出口
３  フィン
４  伝熱管
５  熱交換器
６  送風ファン
７  配管断熱材
８  接続配管
９  スリット
9a  切れ目
9a' 切れ目
9b  切欠部
9c  第一切れ目
9c' 第一切れ目
9d  第二切れ目
9d' 第二切れ目
10  配管断熱材の先端部
【図１】
0004474781.tif 000002
【図２】
0004474781.tif 000003
【図３】
0004474781.tif 000004